(57)【特許請求の範囲】
【請求項１】
記録媒体としてのディスクと、該ディスクの中央部のハブ取付孔に筒状部を嵌合するとともに、該筒状部の上端に設けられたフランジ部を上記ディスクの上面に重ね合わせた状態で上記ディスクに取り付けられているセンターハブと、該センターハブを取り付けたディスクを回転自在に収納しているカートリッジと、該カートリッジに設けられたヘッド挿入口および駆動軸挿入口を開閉するシャッターと、該シャッターをスライド可能に上記カートリッジに組み付けるスライダーと、
上記シャッターを上記ヘッド挿入口および駆動軸挿入口を閉塞する位置に付勢しているシャッタースプリングと、上記カートリッジにスライド可能に取り付けられた誤消去防止部材を備えていて、該カートリッジを構成している上，下ハーフのうちの下ハーフに駆動軸挿入口を設け、該駆動軸挿入口を通して上記センターハブを記録再生装置のターンテーブル上にマグネットチャッキングするようになっているディスクカートリッジにおいて、
上記センターハブは、磁性を有する金属板を機械加工により全体が一体形成されてなり、
上記センターハブのフランジ部の上面側には、ディスクが上ハーフ側に移動したときに上記上ハーフの内面に点接触或いは線接触するディスク位置規制突起を設け、該ディスク位置規制突起の上端の上記上ハーフの内面との接触部を曲面状に形成するとともに、上記上ハーフの内面にはディスク位置規制リブを設け、
上記ディスク位置規制突起の高さを、該ディスク位置規制突起の上端が上記上ハーフの内面に接触した状態において、上記ディスク位置規制リブの先端を上記ディスクの上面に対して非接触状態に保つ高さに形成したことを特徴とするディスクカートリッジ。
【請求項２】
請求項１において、上記ディスク位置規制突起は、フランジ部の内周部または外周部のいずれか一方の周部に沿ってリング状に形成されていることを特徴とするディスクカートリッジ。
【請求項３】
請求項２において、上記ディスク位置規制突起は、円弧状に形成されていて、同一円周上に所定間隔をもってリング状に配置されていることを特徴とするディスクカートリッジ。
【発明の詳細な説明】
【０００１】
【発明の属する技術分野】
本発明は、記録媒体としてのディスクの中央部に設けたセンターハブがマグネットの磁気吸引力で吸引、吸着されてターンテーブル上にチャッキングされるようになっているディスクカートリッジに関するものである。
【０００２】
【従来の技術】
ディスクカートリッジとして、図１０〜図１１に示したように光磁気ディスク等の記録媒体としてのディスク１０１の中央部に設けたハブ取付孔１０２に磁性を有する金属製のセンターハブ１０３を取り付けるとともに、上記ディスク１０１を上，下ハーフ１０４，１０５からなるカートリッジ１０６に回転自在に収納することにより構成されていて、記録再生装置に装填すると、該記録再生装置のターンテーブル２０１に取り付けたマグネット２０２により、上記センターハブ１０３が吸引、吸着されてディスク１０１がターンテーブル２０１上にチャッキングされるようになっているものが知られている。
【０００３】
上記金属製のセンターハブ１０３は、有底円筒状の筒状部１１１と、該筒状部１１１の上端に設けられた円環状のフランジ部１１２を備えていて、上記筒状部１１１をディスク１０１のハブ取付孔１０２に嵌合するとともに、上記フランジ部１１２をディスク１０１の上面に重ね合わせて接着することによりディスク１０１に取り付けられている。また、上記有底円筒状の筒状部１１１の底面板１１３の中央部には、センタリング孔１１４が設けられていて、該センタリング孔１１４に記録再生装置のスピンドル軸２０３の先端部が嵌合して、ディスク１０１のセンタリングを行うようになっている。上記スピンドル軸２０３の先端部は、円錐状の傾斜面２０３ａになっていて、上記センタリング孔１１４への嵌合をガイドするようになっている。
【０００４】
【発明が解決しようとする課題】
ところで、上記従来のディスクカートリッジにあっては、図１２に示したように、スピンドル軸２０３の先端部の傾斜面２０３ａが上記センタリング孔１１４の周縁部に当たって、ディスク１０１が傾斜した状態で持ち上げられて、該ディスク１０１が上，下ハーフ１０４，１０５内面に設けたディスク位置規制リブ２０４に接触すると、該接触部の摩擦力（抵抗）等により、ディスク１０１のセンタリング孔１１４をスピンドル軸２０３側に上記マグネット２０２の吸引力で呼び寄せる（移動させる）ことが困難になり、ミスチャッキングの原因になるという問題点があった。
【０００５】
特に、縦置きタイプの記録再生装置にあっては、図１３に示したように、ディスク１０１は、自重によってセンタリング孔１１４の位置がスピンドル軸２０３の位置よりもやや下がった位置にくるために、チャッキング時においてスピンドル軸２０３側にセンタリング孔１１４を呼び寄せるためには、ディスク１０１をその自重に抗して上記マグネット２０２で垂直方向に持ち上げなければならないため、マグネット２０２に掛かる負荷が大きい。一方、上述したように、ディスク１０１のセンタリング孔１１４は、スピンドル軸２０３よりも若干、下がった位置にくるために、チャッキング時に不可避的にスピンドル軸２０３の先端部の傾斜面２０３ａがセンタリング孔１１４の周縁部に当たり、ディスク１０１を上ハーフ１０４のディスク位置規制リブ２０４の先端面２０４ａに押し付けて面接触させて、大きな摩擦力を発生させる。
【０００６】
上記のように縦置きタイプの記録再生装置は、マグネット２０２でディスク１０１を垂直方向に持ち上げなければならない上に、上記大きな摩擦力が発生するためにミスチャッキングが発生しやすい。
【０００７】
上述したように、上記ディスク位置規制リブ２０４の先端面２０４ａは、ディスク１０１と接触するので、該ディスク１０１を損傷したりすることのないように高面精度に仕上げられているのが一般的であるが、高面精度に仕上げるとディスク１０１との間に所謂貼り付き現象が発生し、摩擦力が増大し、ますますミスチャッキングを起こしやすくなる。
【０００８】
そこで、上記ディスク位置規制リブ２０４の先端面２０４ａに十点平均粗さ（Ｒｚ）＝４〜３０μｍ程度の凹凸加工、例えばシボ加工を施して摩擦力を低減させる試みもなされているが、上記Ｒｚの値が小さいときには、上記貼り付き現象を完全に防止することができず、Ｒｚの値が大きいと、繰り返しのチャッキング動作で崩れ粉が発生するという問題点があった。
【０００９】
本発明は、上記従来の問題点を解決することを目的としてなされたものである。
【００１０】
【課題を解決するための手段】
本発明は、記録媒体としてのディスクと、該ディスクの中央部のハブ取付孔に筒状部を嵌合するとともに、該筒状部の上端に設けられたフランジ部を上記ディスクの上面に重ね合わせた状態で上記ディスクに取り付けられているセンターハブと、該センターハブを取り付けたディスクを回転自在に収納しているカートリッジと、該カートリッジに設けられたヘッド挿入口および駆動軸挿入口を開閉するシャッターと、該シャッターをスライド可能に上記カートリッジに組み付けるスライダーと、
上記シャッターを上記ヘッド挿入口および駆動軸挿入口を閉塞する位置に付勢しているシャッタースプリングと、上記カートリッジにスライド可能に取り付けられた誤消去防止部材を備えていて、該カートリッジを構成している上，下ハーフのうちの下ハーフに駆動軸挿入口を設け、該駆動軸挿入口を通して上記センターハブを記録再生装置のターンテーブル上にマグネットチャッキングするようになっているディスクカートリッジにおいて、
上記センターハブを、磁性を有する金属板を機械加工により全体を一体形成し、上記センターハブのフランジ部の上面側には、ディスクが上ハーフ側に移動したときに上記上ハーフの内面に点接触或いは線接触するディスク位置規制突起を設け、該ディスク位置規制突起の上端の上記上ハーフの内面との接触部を曲面状に形成するとともに、上記上ハーフの内面にはディスク位置規制リブを設け、
上記ディスク位置規制突起の高さを、該ディスク位置規制突起の上端が上記上ハーフの内面に接触した状態において、上記ディスク位置規制リブの先端を上記ディスクの上面に対して非接触状態に保つ高さに形成することにより、
チャッキング時にディスクが上ハーフ側に押されて移動したり、或は傾斜したりすると、上記センターハブのフランジ部の上面に設けたディスク位置規制突起の曲面状の接触部が上ハーフ内面に点接触或いは線接触するようにしてディスクと上ハーフの接触部に発生する摩擦力を低減させて、マグネットによるチャッキングをより確実なものにすることができるようにすると共に、ディスクカートリッジを裏返して置いたような場合に、上記ディスク位置規制突起の曲面状の接触部が上ハーフ内面に点接触或いは線接触して、上記上ハーフの内面にはディスク位置規制リブの先端は、ディスクの上面と非接触状態を保つようにした。また、上記ディスクカートリッジを裏返して置いたような場合において、ディスクが直径方向に位置ずれを起こしたような場合には、上記ディスク位置規制リブが上記上ハーフの内面にディスク位置規制リブの内面に接触して、ディスクの更なる位置ずれを防止してディスクの周縁部が上記ディスクカートリッジの周壁に衝突するのを未然に防止する。
【００１１】
【発明の実施の形態】
次に本発明のディスクカートリッジを図１〜図９を参照して説明する。図１はディスクカートリッジ１の分解斜視図である。ディスクカートリッジ１は、記録媒体としての光ディスク或は光磁気ディスク等のディスク２と、該ディスク２の中央部に取り付けられるセンターハブ３と、上記ディスク２を回転自在に収納するカートリッジ４と、該カートリッジ４に設けられたヘッド挿入口および駆動軸挿入口を開閉するシャッター５と、該シャッター５をスライド可能に上記カートリッジ４に組み付けるスライダー６と、上記シャッター５を上記ヘッド挿入口および駆動軸挿入口を閉塞する位置に付勢しているシャッタースプリング７と、上記カートリッジ４にスライド可能に取り付けられた誤消去防止部材８を備えている。
【００１２】
上記ディスク２は、中央部に上記センターハブ３を組み付けるための円形のハブ取付孔２ａを有していて、その外周の主面部が信号記録部２ｂになっている。
【００１３】
上記センターハブ３は、上記ハブ取付孔２ａに嵌合する筒状部１１と、該筒状部１１の上端に設けられたフランジ部１２とからなっていて、上記筒状部１１を上記ハブ取付孔２ａに嵌合し、上記フランジ部１２をディスク２の上面に重ね合わせて接着することにより、ディスク２に取り付けられる。
【００１４】
上記筒状部１１は、有底円筒状に形成されていて、底面板１３の中央部に、センタリング孔１４が設けられている。上記フランジ部１２は、リング状に形成されていて内周側（上記筒状部１１の上端に連続する部分）にディスク位置規制突起１５が設けられている。
【００１５】
上記ディスク位置規制突起１５は、図５に示したように、チャッキング時に記録再生装置のスピンドル軸２０３の先端が上記センタリング孔１４の周縁部に当接して、ディスク２が押し上げられた場合に、上端部が上記カートリッジ４の上ハーフの内面に接触する高さＨに形成されている。
【００１６】
上記ディスク位置規制突起１５の上端部は、上記ディスク２の傾斜角度θの大小にかかわらず、上記上ハーフ２１の内面と面接触することがないように曲面形状に形成されている。上記センターハブ３は、鉄等の磁性を有する金属板をプレス加工することにより、全体が一体形成されている。
【００１７】
上記カートリッジ４は、四角形の浅皿状所謂シェル状に形成された上，下ハーフ２１，２２を重ね合わせてビス２３…２３等で結合することにより形成されている。上記上，下ハーフ２１，２２の対向面の外周縁部には、外周壁部２４が設けられているとともに、該外周壁部２４の内側には、円形状のディスク収納壁部２５が設けられている。上記円形状のディスク収納壁部２５は、上記ディスク２の径よりも若干大径に形成されている。
【００１８】
上記上ハーフ２１には、上記ディスク収納壁部２５の内側にヘッド挿入口（記
録再生用開口）２６が設けられているとともに、下ハーフ２２には、ヘッド挿入口（記録再生用開口）兼駆動軸挿入口２７が設けられている。そして、上記上ハーフ２１のヘッド挿入口２６に上記ディスク２の信号記録部２ｂの上面が臨み、上記下ハーフ２２のヘッド挿入口兼駆動軸挿入口２７に上記ディスク２の信号記録部２ｂの下面および上記センターハブ３が臨むようになっている。
【００１９】
次に、シャッター５について説明する。シャッター５は、ステンレススチール等の金属薄板を略コ字状に折り曲げることにより形成されていて、上記スライダー６により、上記上，下ハーフ２１，２２を挟むようにしてカートリッジ４にスライド可能に取り付けられているとともに、シャッタースプリング７により一方向に付勢されていて、上記上ハーフ２１に設けたヘッド挿入口２６および下ハーフ２２に設けたヘッド挿入口兼駆動軸挿入口２７を閉塞している。そして、上記シャッタースプリング７のばね力に抗してシャッター５をスライドさせることにより、上記ヘッド挿入口２６およびヘッド挿入口兼駆動軸挿入口２７を開放するようになっている。なお、上記シャッター５の下ハーフ２２側の端部は、下ハーフ２２に取り付けられたシャッターカバー９によって抑えられていて、下ハーフ２２の表面から離れる方向に反り返るのを防止されている。
【００２０】
次に、上記ディスクカートリッジ１の作用について説明する。ディスクカートリッジ１を記録再生装置（図示省略）に装填すると、該記録再生装置に設けたシャッター開放部材によってシャッター５がシャッタースプリング６のばね力に抗してスライドして、上記上ハーフ２１に設けたヘッド挿入口２６および下ハーフ２２に設けたヘッド挿入口兼駆動軸挿入口２７が開放され、該駆動軸挿入口２７から、図４に示したように、記録再生装置のスピンドル軸２０３およびターンテーブル２０１が導入される。そして、上記スピンドル軸２０３の先端部が上記センターハブ３のセンタリング孔１４に侵入してディスク２のセンタリングを行うとともに上記ターンテーブル２０１に設けたマグネット２０２で上記センターハブ３をターンテーブル２０１上に吸引、吸着して、ディスク２のチャッキングを行う。
【００２１】
上記チャッキングを行う際に、図５に示したように、スピンドル軸２０３の先端部の円錐状の傾斜面２０３ａが上記センタリング孔１４の周縁部に当たって、ディスク２が傾斜しながら押し上げられたような場合には、上記センターハブ３のフランジ部１２の上面側に突設したディスク位置規制突起１５の先端部が上記上ハーフ２１の内面に接触し、上記ディスクが上ハーフ２１の内面に接触するのを防止して、ディスク２を保護する。
【００２２】
また、上記ディスク位置規制突起１５の先端部は、曲面状に形成されていて、
上記上ハーフ２１の内面に線接触するので両者間に発生する摩擦力は、図１２〜図１３に示した従来の上ハーフの内面に突設したディスク位置規制リブ２０４の先端面２０４ａにディスクが面接触する場合に較べて著しく小さくなるために、マグネット２０２によるディスク２の呼び込みを確実に行うことができ、ミスチャッキングを防ぐことができる。
【００２３】
図６は、本発明のディスクカートリッジ１を縦置きタイプの記録再生装置に使用した場合を示す。この場合において、スピンドル軸２０３の先端部の傾斜面２０３ａがセンタリング孔１４の周縁部に当たって、ディスク２が押されて、上ハーフ２１側に移動すると、上記センターハブ３に設けたディスク位置規制突起１５の先端部が上ハーフ２１の内面に線接触して、ディスク２が上ハーフ２１の内面に設けたディスク位置規制リブ２８の先端面２８ａに面接触するのを防止し、面接触する場合に較べて摩擦力を小さくして、マグネット２０２によるディスク２の呼び込みを確実に行うことができるようにするのである。
【００２４】
図７〜図９は、センターハブ３に設けたディスク位置規制突起１５の第１〜第３の変形例を示す。図７に示す第１の変形例は、ディスク位置規制突起１５を円弧状に形成し、これら円弧状のディスク位置規制突起１５…１５を所定の間隔をもって同一円周上にリング状に配置した場合を示す。図８に示す第２の変形例は、ディスク位置規制突起１５をフランジ部１２の外周部に配置した場合を示す。図９に示す変形例は、ディスク位置規制突起１５をフランジ部１２の中央部に配置した場合を示す。
【００２５】
【発明の効果】
本発明のディスクのカートリッジには次に述べるような効果がある。
【００２６】
（１）記録再生装置のターンテーブルのチャッキング時において、スピンドル軸の先端がセンターハブの底面に当接して、ディスクがカートリッジの上ハーフ側に移動した場合に、上記センターハブのフランジ部の上面側に突設したディスク位置規制突起の先端部が上記上ハーフの内面に接触し、上記ディスクが上ハーフの内面に接触するのを防ぐことができる。特に、上記ディスク位置規制突起の先端部のディスクと接触する部分を曲面状に形成したので、ディスク位置規制突起とディスクは、線接触することになり、該接触部において発生する摩擦力は面接触の場合に較べて小さくなるのでそのぶんマグネットによるディスクの呼び込みを確実にし、ターンテーブルへチャッキングを確実なものにすることができる。また、ディスクカートリッジを裏返して置いたような場合に、上記ディスク位置規制突起の曲面状の接触部が上ハーフ内面に点接触或いは線接触すると共に、上記ディスク位置規制リブの先端は、ディスクの上面と非接触状態を保ち上記ディスク位置規制リブからディスクの上面を保護する。また、上記ディスクカートリッジを裏返して置いたような場合において、ディスクが直径方向に位置ずれを起こしたような場合には、上記ディスク位置規制リブが上記上ハーフの内面にディスク位置規制リブの内面に接触して、ディスクの更なる位置ずれを防止してディスクの周縁部が上記ディスクカートリッジの周壁に衝突するのを未然に防止する。
【００２７】
（２）上記ディスク位置規制突起をリング状に形成したので、ディスクがいずれの方向に傾斜した場合でも上記ディスク位置規制突起を有効に作用させることができる。
【００２８】
（３）上記ディスク位置規制突起を、円弧状に形成し、同一円周上に所定間隔をもってリング状に配置したので、これら円弧状のディスク位置規制突起間の隙間部分においては上記ディスク位置規制突起と上ハーフの内面とは非接触状態に保たれて、両者間の摩擦をより一層、低減させることができる。
【図面の簡単な説明】
【図１】ディスクカートリッジの分解斜視図。
【図２】ディスクカートリッジの断面図。
【図３】センターハブの一部破断面図。
【図４】チャッキング状態を示す断面図。
【図５】ディスクが押し上げられた状態の断面図。
【図６】縦置きタイプの記録再生装置に使用した状態の断面図。
【図７】センターハブの第１の変形例の斜視図。
【図８】センターハブの第２の変形例の断面図。
【図９】センターハブの第３の変形例の断面図。
【図１０】従来例の断面図。
【図１１】チャッキング状態の断面図。
【図１２】ディスクが押し上げられた状態の断面図。
【図１３】縦置きタイプの記録再生装置に使用した状態の断面図。
【符号の説明】
１…ディスクカートリッジ、２…ディスク、２ａ…ハブ取付孔、３…センターハブ、４…カートリッジ、１１…筒状部、１２…フランジ部、１５…ディスク位置規制突起、２１…上ハーフ、２２…下ハーフ、２６…ヘッド挿入口兼駆動軸挿入口、２０１…ターンテーブル、２０２…マグネット、２０３…スピンドル軸。
【図１】
0003564850.tif 000002
【図２】
0003564850.tif 000003
【図３】
0003564850.tif 000004
【図４】
0003564850.tif 000005
【図５】
0003564850.tif 000006
【図６】
0003564850.tif 000007
【図７】
0003564850.tif 000008
【図８】
0003564850.tif 000009
【図９】
0003564850.tif 000010
【図１０】
0003564850.tif 000011
【図１１】
0003564850.tif 000012
【図１２】
0003564850.tif 000013
【図１３】
0003564850.tif 000014